(57)【要約】【課題】使用者にとって使い勝手の良い画像形成装置の提供。【解決手段】本体カバーが閉じられている際に、載置部、搬送部、集積部のいずれかに原稿が存在している場合（Ｓ２２０、Ｓ２３０、Ｓ２４０のいずれか一つがＹＥＳ）、つまり、原稿自動搬送装置に原稿が存在している場合には、制御装置からの指令に基づき、本体カバーが開くことが無いようにロック機構をロックし、本体カバーを閉じた状態に維持する（Ｓ２５０）。なお、原稿自動搬送装置に原稿が存在していない（Ｓ２２０、Ｓ２３０、Ｓ２４０の全てがＮＯ）場合にのみ、制御装置からの指令に基づき、ロック機構を解除する（Ｓ２７０）。【選択図】図７
2007180788.tif 000002
【特許請求の範囲】
【請求項１】
読取面に配置された原稿に記録された情報を読み取る読取手段を有する本体と、
前記本体に開閉可能に支持され、閉じた状態では、前記読取面を覆う本体カバーと、
前記本体カバーに設けられ、一ないし複数の原稿が載置される載置部、前記読取手段で情報を読み取られた一ないし複数の原稿が集積される集積部、前記載置部に載置された前記原稿を、前記読取手段を経由し前記集積部へと搬送する搬送部、を有する原稿搬送手段と、
前記原稿搬送手段に原稿が存在することを検知する原稿検知手段と、
前記原稿検知手段が原稿の存在を検知している間、前記本体カバーを閉じた状態に保持する保持手段と、
を備えることを特徴とする画像形成装置。
【請求項２】
前記原稿検知手段は、前記搬送部に原稿が存在しているか否かを検知する搬送部検知手段を備えることを特徴とする請求項１に記載の画像形成装置。
【請求項３】
前記原稿検知手段は、前記載置部に原稿が存在しているか否かを検知する載置部検知手段を備えることを特徴とする請求項１または請求項２に記載の画像形成装置。
【請求項４】
前記原稿検知手段は、前記集積部に原稿が存在しているか否かを検知する集積部検知手段を備えることを特徴とする請求項１ないし請求項３のいずれかに記載の画像形成装置。
【請求項５】
前記保持手段が前記本体カバーを閉じた状態に保持している時に、前記本体カバーが保持状態であることを報知する報知手段を備えることを特徴とする請求項１ないし請求項４のいずれかに記載の画像形成装置。
【請求項６】
前記原稿検知手段が前記原稿搬送手段に原稿が存在しないことを検知すると、前記保持手段による前記本体カバーの保持状態を解除する解除手段を備えることを特徴とする請求項１ないし請求項５のいずれかに記載の画像形成装置。
【発明の詳細な説明】
【技術分野】
【０００１】
本発明は、自動原稿搬送装置を備えた画像形成装置に関する。
【背景技術】
【０００２】
従来より、読取面に配置された原稿に記録された情報を読み取る原稿読取部を有した本体と、読取面を覆うように閉じることができ、本体に開閉自在に支持された本体カバーと、を備えた、いわゆるフラットベッド型の画像形成装置（コピー機やプリンタ等）が知られている。
【０００３】
そして、この種の画像形成装置の本体カバーには、原稿読取部に読み取られる前の原稿を載置する載置部と、原稿読取部に読み取られた後の原稿を集積する集積部と、載置部の原稿を読取面を経由して（即ち、原稿読取部に原稿を読み取らせた後）集積部へと搬送する搬送部とから構成される原稿自動搬送装置（いわゆる、ＡＤＦ装置）が設けられているものがある（例えば、特許文献１参照）。
【０００４】
このようなＡＤＦ装置（即ち、本体カバー）は、読取面を覆うように閉じた状態で使用され、載置部に載置された原稿を自動で搬送し、その原稿の搬送中に原稿に記録された情報を原稿読取部に読み取らせるものである。
【０００５】
そして、特許文献１に記載された画像形成装置（文献中は原稿読取装置）では、ＡＤＦ装置を使用した原稿の搬送中（即ち、原稿の読み取り中）に本体カバーが開けられると、原稿の搬送が中断される。さらに、その後、本体カバーが閉じられた際、搬送部に残っている原稿の位置に応じて、搬送部に残っている原稿を再び搬送するか否かが決定される。
【特許文献１】特開２００３−７６２４６号公報
【発明の開示】
【発明が解決しようとする課題】
【０００６】
つまり、従来の画像形成装置では、本体カバーが開けられることにより搬送が中断された原稿が、本体カバーが閉じられた後も、搬送部に残ってしまう場合がある。この場合、搬送部に残っている原稿を取り除かなければ、ＡＤＦ装置を再び使用することができないため、使用者は、原稿を取り除くための手間が必要であり、使用者の負担が増加するという問題があった。
【０００７】
また、読み取りの途中で本体カバーが開けられ、原稿の搬送が中断された場合、使用者が読み取らせたいと考えている原稿の情報が正確に読み取られていないことがある。この場合、原稿の情報を正確に読み取らせるためには、原稿を再び載置部に配置（即ち、原稿の再セット）しなければならず、この点でも、使用者の負担が増加するという問題もあった。
【０００８】
また、原稿の読み取りを行っている時には、複数枚の原稿が載置部または集積部に配置されていることが多い。このため、原稿の読み取りを行っている時に本体カバーが開けられると、載置部または集積部に配置された原稿が散らばってしまう可能性があるという問題もあった。
【０００９】
つまり、従来の画像形成装置では、本体カバーが開けられ原稿の読み取りが中断される度に、本体カバーが開けられることによって生じる問題（例えば、原稿の除去や原稿の再セット、載置された原稿の散乱等）に対応しなければならず、使用者にとって使い勝手が悪いという問題があった。
【００１０】
そこで本発明は、使用者にとって使い勝手の良い画像形成装置を提供することを目的とする。
【課題を解決するための手段】
【００１１】
上記目的を達成するためになされた請求項１に記載の画像形成装置は、読取面に配置された原稿に記録された情報を読み取る読取手段を有する本体と、本体に開閉可能に支持され、閉じた状態では、読取面を覆う本体カバーと、を備えている。
【００１２】
そして、本体カバーに設けられた原稿搬送手段は、載置部に載置された一ないし複数の原稿を、搬送部が読取手段を経由して搬送し、集積部に集積させるものである。
さらに、原稿検知手段は、原稿搬送手段内に原稿が存在することを検知し、保持手段は、原稿検知手段が原稿の存在を検知している間、本体カバーを閉じた状態に保持する。
【００１３】
したがって、このように構成された画像形成装置によれば、原稿搬送手段（即ち、載置部、搬送部、集積部）に原稿が存在している時には、本体カバーを閉じた状態に保つことができ、原稿の搬送（即ち、読取手段による原稿の読み取り）が中断されることを防止することができる。
【００１４】
この結果、搬送部に原稿が残ることや原稿に記録された情報の読み取りの不備が発生することを防止できるため、使用者にとって使い勝手の良い画像形成装置とすることができる。
【００１５】
また、原稿検知手段は、例えば、請求項２に記載された画像形成装置のように、搬送部に原稿が存在しているか否かを検知する搬送部検知手段を備えていても良い。
つまり、読取手段が原稿に記録された情報を読み取る位置は、搬送部が原稿を載置部から集積部へと搬送する経路上であり、この経路にあたる搬送部に原稿検知手段を設けることにより、原稿の読み取りが中断されることを確実に防止することができる。
【００１６】
ここで、図８は、保持手段が本体カバーを閉じた状態に保持している期間の一例を各検知手段が原稿の存在を検知している期間と共に示した説明図である。
この図８に示された期間αは、搬送部検知手段が原稿の存在を検知している期間であり、この期間α中、保持手段が本体カバーを閉じた状態に保持する。この期間αには、原稿に記録された情報を読取手段が読み取っている期間も包括されるため、本発明の画像形成装置によれば、原稿の読み取りが中断されることを確実に防止できる。
【００１７】
さらに、原稿検知手段は、例えば、請求項３に記載された画像形成装置のように、載置部に原稿が存在しているか否かを検知する載置部検知手段や、請求項４に記載された画像形成装置のように、集積部に原稿が存在しているか否かを検知する集積部検知手段を備えていても良い。
【００１８】
このように載置部検知手段を備えた画像形成装置は、載置部検知手段が原稿の存在を検知している間（即ち、図８に示すの期間β）、本体カバーを閉じた状態に保持するため、載置部に原稿が存在している限り、本体カバーが開かれることがない。その結果、本発明の画像形成装置によれば、載置部に載置された原稿が散らばることを防止できる。
【００１９】
また、この期間βは、読取手段が原稿の読み取りを行っている可能性が高いため、本発明の画像形成装置によれば、この期間β中は、本体カバーが閉じた状態に保持されることにより、原稿の読み取りが中断されることを防止できる。
【００２０】
また、集積部検知手段を備えた画像形成装置は、集積部検知手段が原稿の存在を検知している間（即ち、図８に示す期間γ）、本体カバーを閉じた状態に保持するため、集積部に原稿が存在している限り、本体カバーが開かれることがない。その結果、本発明の画像形成装置によれば、集積部に集積された原稿が散らばることを防止できる。
【００２１】
また、この期間γは、読取手段が原稿の読み取りを行っている可能性が高いため、本発明の画像形成装置によれば、この期間γ中は、本体カバーが閉じた状態に保持されることにより、原稿の読み取りが中断されることを防止できる。
【００２２】
そして、原稿検知手段が搬送部検知手段に加えて載置部検知手段と集積部検知手段とを備えた画像形成装置は、載置部検知手段が原稿の存在を検知してから、集積部検知手段が原稿の存在を検知しなくなるまでの期間（図８に示された期間δ）、本体カバーを閉じた状態に保持する。
【００２３】
即ち、搬送部に原稿が存在している場合を含めて、載置部に原稿が載置されてから、集積部に集積された原稿を取り除くまでの間、本体カバーが開かれることがない。その結果、本発明の画像形成装置によれば、原稿の読み取りが中断されることを確実に防止できるうえに、載置部や集積部に配置された原稿が散らばることを防止できる。
【００２４】
なお、原稿検知手段が載置部検知手段と集積部検知手段とを備える場合も、図８に示された期間δの間、本体カバーが閉じた状態に保持されるので、原稿検知手段が搬送部検知手段に加えて載置部検知手段と集積部検知手段とを備える場合と同様の効果が得られる。
【００２５】
なお、請求項５に記載された画像形成装置のように、保持手段が本体カバーを閉じた状態に保持している時に、本体カバーが保持状態であることを報知する報知手段が備えられていることが望ましい。
【００２６】
このように構成された本発明の画像形成装置によれば、この画像形成装置の使用者に、本体カバーが閉じられた状態に保持されていることを認識させることができる。
さらに、請求項６に記載された画像形成装置のように、原稿検知手段が原稿搬送手段に原稿が存在しないことを検知すると、保持手段による本体カバーの保持状態を解除する解除手段が備えられていても良い。
【００２７】
このように構成された本発明の画像形成装置によれば、原稿搬送手段に原稿が存在しない時には、本体カバーを開くことができる。
【発明を実施するための最良の形態】
【００２８】
〈装置全体の構成〉
以下、本発明の実施形態について図面と共に説明する。
図１は、本発明を適用した複合機の外観を示す斜視図であり、図２は、図１に示した複合機の本体カバーを開いた状態を示す斜視図であり、図３は、複合機の上面図である。
【００２９】
なお、本発明の実施形態として例示する複合機１は、イメージスキャナ、プリンタ、コピー、ファクシミリ等の複数の機能を兼ね備えたものである。
複合機１は、印刷される用紙１８を給紙する用紙トレー１７と、用紙トレー１７から供給された用紙１８に、原稿１９の情報を読み取る等して得られた画像を形成し印刷する本体１０と、本体１０の上面を完全に覆うように、本体１０に開閉可能に支持された本体カバー１２と、本体カバー１２を閉じた状態にロックするロック機構３５（図５参照）と、を備えている。
【００３０】
本体１０は、原稿１９に記載された情報を読み取る（以下、原稿１９を読み取るとする）原稿読取部４０（図４参照）と、原稿読取部４０で読み取った情報から画像を形成し、用紙１８に印刷する画像形成部６０（図６参照）と、複合機１の使用者が情報を入力する操作部１４と、複合機１の状態等が表示される表示部１５と、を備えている。そして、原稿読取部４０、画像形成部６０等の各部は、本体ケース１１内に収納されている。
【００３１】
また、本体ケース１１は、原稿読取部４０に情報を読み取られる原稿１９を配置する読取面１１ａと、用紙トレー１７を装着するための装着部１６と、を有している。
そして、読取面１１ａは、ガラス等の光を透過する素材によって形成された板材であり、本体カバー１２と相対する本体ケース１１の上面に固定されている。
【００３２】
なお、画像形成部６０は、周知の技術であるため、ここでの説明は、省略する。
〈本体カバーの構成〉
次に、本体カバー１２及び本体カバー１２に設けられた原稿自動搬送装置５について説明する。
【００３３】
図４は、本体カバー１２及び原稿読取部４０の構成を示した概略断面図である。
本体カバー１２は、原稿読取部４０に読み取られる前の原稿１９を載置する載置部２１と、原稿読取部４０に読み取られた後の原稿１９を集積する集積部３１と、載置部２１から読取面１１ａを経由して（即ち、原稿読取部４０に原稿１９を読み取らせた後）集積部３１へと原稿１９を搬送する搬送部２５と、搬送部２５を内部に収納したカバーケース１３と、を備えている。
【００３４】
なお、搬送部２５が原稿１９を搬送する際に経由する読取面１１ａの位置を原稿自動搬送読取位置３とする。即ち、原稿１９は、原稿自動搬送読取位置３において原稿読取部４０に読み取られる。
【００３５】
カバーケース１３は、クラムシェル形状であり、載置部２１と集積部３１とを包括するように形成されている。
載置部２１には、原稿を載置する載置台２２と、載置台２２から突出した一対の突出片からなる案内ガイド２３とが設けられている（図３参照）。さらに、載置部２１には、載置台２２に原稿１９が載置されている事を検知する載置部検知センサー２４が備えられている。
【００３６】
なお、案内ガイド２３は、載置台２２に載置された原稿１９の大きさ（原稿１９のサイズ）に応じて、突出片間の幅を調節可能に構成され、原稿１９の搬送を補助する周知のものである。
【００３７】
次に、搬送部２５は、載置部２１に載置された原稿１９を一枚ずつ分離して搬送部２５へと導く分離ローラ２６と、分離ローラ２６で分離された原稿１９を原稿読取部４０に読み取らせるための原稿自動搬送読取位置３に搬送する搬送ローラ２７と、読み取りが終了した原稿１９を集積部３１に排出させる排出ローラ２８とを備えている。
【００３８】
また、搬送部２５には、原稿１９の搬送経路上に原稿１９が存在しているか否かを検知する搬送部検知センサー２９、３０が備えられている。なお、搬送部検知センサー２９、３０は、一端が回動自在に支持された振り子型のセンサーであり、搬送される原稿１９の押圧力により搬送部検知センサー２９、３０の一部が回動することで、原稿１９の存在を検知するものである。
【００３９】
そして、集積部３１は、排出ローラ２８から排出された原稿１９を集積する集積台３２と、集積台３２に原稿１９が集積されている事を検知する集積部検知センサー３３とを備えている。
【００４０】
なお、載置部検知センサー２４及び集積部検知センサー３３は、発光部２４ａ、３３ａと受光部２４ｂ、３３ｂとからなる光センサーである。そして、発光部２４ａ、３３ａと受光部２４ｂ、３３ｂとは、両検知センサー２４、３３の設置位置において、発光部２４ａ、３３ａから照射された光を受光部２４ｂ、３３ｂが受光する位置かつ、搬送路を搬送される原稿１９によって、発光部２４ａ、３３ａから受光部２４ｂ、３３ｂに向かう光が遮られるように搬送路を挟んだ両側に配置されている。
【００４１】
即ち、両検知センサー２４、３３の設置位置に原稿１９が存在していない時には、発光部２４ａ、３３ａから照射された光が受光部２４ｂ、３３ｂで検知されるため、受光部２４ｂ、３３ｂからは、信号レベルの大きな受光信号が得られる。また、両検知センサー２４、３３の設置位置に原稿１９が存在している時には、原稿１９に遮られ、発光部２４ａ、３３ａから照射された光が受光部２４ｂ、３３ｂで検知されないため、受光部２４ｂ、３３ｂからは、信号レベルの小さな受光信号が得られる。
【００４２】
つまり、両検知センサー２４、３３は、受光部２４ｂ、３３ｂから出力される受光信号の信号レベルの違いに基づき、後述する制御装置（図６参照）１００が原稿１９の有無を認識するように構成されている。
【００４３】
なお、以下では、図４に示すように、載置部２１と搬送部２５と集積部３１とを総称して原稿自動搬送装置５とする。つまり、原稿自動搬送装置５は、載置部２１に載置された原稿１９を、各ローラ２６、２７、２８を駆動させることにより、原稿自動搬送読取位置３を経由して集積部３１へと搬送する。
〈原稿読取部の構成〉
次に、原稿読取部４０について説明する。
【００４４】
図４に示すように、原稿読取部４０は、原稿１９に対して光を照射する光源４３と、原稿１９によって反射された反射光を集光するミラー及びレンズ等の光学素子群４２と、原稿１９から情報を読み取るためのイメージセンサー４１と、を備えている。つまり、光源４３から光が照射され、原稿１９によって反射された反射光を光学素子群４２によって集光し、集光された反射光をイメージセンサー４１によって認識することにより原稿１９を読み取るように構成されている。
【００４５】
また、原稿読取部４０は、原稿自動搬送読取位置３と対面する位置において、原稿１９の読み取りが可能でありかつ、図示しない原稿読取部駆動機構により、読取面１１ａに沿った本体ケース１１の長手方向（図４の左右方向）への移動が可能に構成されている。
【００４６】
つまり、原稿自動搬送装置５を用いて原稿１９の読み取りを行う際には、原稿読取部４０を、原稿自動搬送読取位置３に対面する位置に保持し、原稿自動搬送装置５によって原稿自動搬送読取位置３を通過するように搬送される原稿１９から、その原稿１９の全情報を読み取る。
【００４７】
また、読取面１１ａを覆うように配置された原稿１９の読み取りを行う（いわゆる、フラットベット型として使用する）際には、原稿読取部４０は、原稿読取部駆動機構によって移動されながら、読取面１１ａに配置された原稿１９の全情報を読み取る。
【００４８】
〈ロック機構に関する説明〉
次に、ロック機構３５について説明する。
図５は、ロック機構３５の概略構成を示す説明図（図１に示す複合機１の斜視図においてＡ−Ａ断面に相当する図（つまり、表示部１５等が設けられた本体ケース１１の面を正面とした場合、右側面から左側面を見た図））である。
【００４９】
図２及び図５に示すように、ロック機構３５は、本体カバー１２に設けられたＬ字型フック３６と、本体ケース１１内に配置された周知のソレノイド３８とから構成されている。
【００５０】
まず、本体ケース１１には、読取面１１ａの周縁に当たる位置に開口３７が設けられている。
また、Ｌ字型フック３６は、短い角柱（以下、短辺３６ａ）と短辺３６ａよりは長い角柱（以下、長辺３６ｂとする）とがそれぞれの一端で直角となるように結合され、「Ｌ」字型に形成された部材である。
【００５１】
そして、Ｌ字型フック３６は、本体カバー１２に固定され、しかも、本体カバー１２を閉じた際、開口３７を通過し本体ケース１１内に入り込むことが可能な位置に固定されている。
【００５２】
また、ソレノイド３８は、その鉄心３８ａがＬ字型フック３６と係合する位置（以下、ロック位置とする）と、その係合が解除される位置（以下、解除位置とする）と、の間を移動可能な位置に配置されている。
【００５３】
つまり、ロック機構３５は、本体カバー１２が閉じられた際に、ソレノイド３８の鉄心３８ａをロック位置（図５では、矢印Ａの方向）に移動することによりロック機構３５をロックし、解除位置（図５では、矢印Ｂの方向）に移動することによりロック機構３５を解除するように構成されている。
【００５４】
このため、ソレノイド３８の鉄心３８ａがロック位置に存在する場合には、ソレノイド３８の鉄心３８ａがＬ字型フック３６に引っかかり、本体カバー１２は、閉じた状態に保持される。
【００５５】
〈電気的構成に関する説明〉
次に、複合機１の電気的構成について説明する。
図６は、複合機１の電気的構成を示すブロック図である。
【００５６】
複合機１には、パーソナルコンピュータ等の外部機器（図示せず）に接続するためのネットワークインターフェース（ネットワークＩ／Ｆ）１０５と、電話回線（図示せず）に接続するためのファクシミリ通信部１０６と、画像形成部６０等の制御対象との間で情報の伝達をする制御部１０４と、複合機１の様々な駆動を制御するための処理プログラムを記憶するＲＯＭ１０１と、処理結果などを一時的に記憶するＲＡＭ１０２と、ＲＯＭ１０１に記憶された処理プログラムを実行するＣＰＵ１０３とを有した制御装置１００が備えられている。
【００５７】
そして、制御部１０４には、原稿読取部４０、画像形成部６０、操作部１４が操作されたことを検知する操作検知部６５、表示部１５に画像を表示させる表示駆動部７０、搬送部２５、載置部検知センサー２４等のセンサー類からなる検知部５０、ロック機構（ソレノイド３８）３５等が接続されている。
【００５８】
このため、制御部１０４では、原稿読取部４０が読み取った情報の取り込みや操作検知部６５からの操作情報の取り込み、検知部５０から各センサーの検知結果の取り込み等の情報の取得のみならず、画像形成部６０に対する画像形成、印刷のための情報の送信や搬送部２５を駆動するための情報の送信、表示駆動部７０やロック機構３５を駆動させるための信号の送信などが行われている。
【００５９】
なお、搬送部２５には、各ローラ２６、２７、２８を駆動するためのモータが備えられており、制御装置１００からの指令に基づきモータが駆動され、その駆動を受けて各ローラ２６、２７、２８が回転する。
【００６０】
また、検知部５０には、載置部検知センサー２４、搬送部検知センサー２９、３０、集積部検知センサー３３の他にも、本体カバー１２が閉じられているか否かを検知する周知の開閉検知センサーや、複合機１に備えられた他のセンサーが含まれている。
【００６１】
〈動作制御に関する説明〉
次に、制御装置１００が実行し、ロック機構３５の開閉を制御するロック処理について図７に示すフローチャートを用いて説明する。
【００６２】
このロック処理は、開閉検知センサーにより本体カバー１２が閉じられたことを検知した時に起動され、本体カバー１２が閉じられている間は、繰り返し実行されるものである。
【００６３】
ただし、ロック機構（即ち、ソレノイド３８の鉄心３８ａ）３５は、初期状態では、解除位置に位置している（図５の矢印Ｂ方向）。
そして、ロック処理が実行されると、Ｓ２１０では、載置部検知センサー２４と集積部検知センサー３３と搬送部検知センサー２９、３０とにそれぞれの設置位置の状態を検知させ、制御装置１００は、その設置位置の状態に関する情報を取得する。
【００６４】
続くＳ２２０では、Ｓ２１０で取得した搬送部検知センサー２９、３０の検知結果に基づき、搬送部２５内に原稿１９が存在しているか否かについて判定し、判定の結果から、搬送部２５内に原稿１９が存在していないものと判断された場合、Ｓ２３０へと進む。
【００６５】
そして、Ｓ２３０では、Ｓ２１０で取得した載置部検知センサー２４の検知結果に基づき、載置部２１に原稿１９が存在しているか否かについて判定し、判定の結果から、載置部２１に原稿１９が配置されていないものと判断された場合、Ｓ２４０へと進む。
【００６６】
そのＳ２４０では、Ｓ２１０で取得した集積部検知センサー３３の検知結果に基づき、集積部３１に原稿１９が存在しているか否かについて判定する。
そして、集積部３１に原稿１９が存在しないものと判断された場合、つまり、原稿自動搬送装置５に原稿１９が存在していないものと判断された場合にのみ、Ｓ２７０へと進む。
【００６７】
そのＳ２７０では、制御装置１００からの指令に基づき、ソレノイド３８の鉄心３８ａをロック位置（図５に示す矢印Ａ方向）から解除位置（図５に示す矢印Ｂ方向）に移動させる。これにより、本体カバー１２は、ロックを解除された状態となり、本体カバー１２を開くことが可能となる。そして、その後、Ｓ２８０へと進む。
【００６８】
なお、このＳ２７０では、今回のロック処理の実行前にも、原稿自動搬送装置５に原稿１９が存在していない場合には、ロックが解除された状態を維持するように制御する。
続く、Ｓ２８０では、制御装置１００からの指令に基づき表示駆動部７０を駆動させ、表示部１５に表示されたロック状態の表示を解除する。つまり、本体カバー１２のロックが解除された状態にある時には、ロック状態であることを示した表示が表示されないように制御される。そして、その後、本処理を終了する。
【００６９】
一方、Ｓ２２０、Ｓ２３０、Ｓ２４０での判定の結果、原稿１９が存在するものとして判断された場合、つまり、原稿自動搬送装置５に原稿１９が存在しているものと判断された場合には、Ｓ２５０へと進む。
【００７０】
そのＳ２５０では、制御装置１００からの指令に基づき、ソレノイド３８の鉄心３８ａを解除位置（図５に示す矢印Ｂ方向）からロック位置（図５に示す矢印Ａ方向）に移動させる。即ち、本体カバー１２に設けられた原稿自動搬送装置５内に原稿１９が存在している場合には、本体カバー１２が開くことが無いようにロック機構３５をロックする。これにより、本体カバー１２は、読取面１１ａを覆うように閉じた状態を維持する。そして、その後、Ｓ２６０へと進む。
【００７１】
また、今回のロック処理の実行前に、本処理（Ｓ２５０）が実行され、ソレノイド３８の鉄心３８ａがロック位置に移動されることにより、本体カバー１２がロックされた状態にある場合には、その状態を維持する。つまり、Ｓ２５０では本体カバー１２が閉じた状態を保つようにロック機構（即ち、ソレノイド）を制御する。
【００７２】
続く、Ｓ２６０では、制御装置１００からの指令に基づき表示駆動部７０を駆動させ、本体カバー１２がロックされた状態であることを表示部１５に表示させる。なお、このロック状態を示す表示は、本体カバー１２がロック状態にある間、表示され続ける。
【００７３】
そして、その後、本処理を終了する。
〈本実施形態の効果〉
以上説明したように、複合機１は、載置部２１、搬送部２５、集積部３１（即ち、原稿自動搬送装置５）に原稿１９が存在している時、即ち、原稿読取部４０が原稿１９の読み取りを行っている可能性が高い時に、ロック機構３５をロックすることにより本体カバー１２を閉じた状態に保持する。
【００７４】
したがって、複合機１によれば、本体カバー１２が開かれ原稿１９の読み取りが中断されることを防止できると共に、本体カバー１２が開かれることにより載置部２１または集積部３１に存在する原稿１９が散らばることを防止することができる。
【００７５】
また、複合機１は、本体カバー１２がロック状態にあることを表示部１５に表示するように構成されている。
したがって、複合機１によれば、複合機１の使用者にロック状態であることを知らせることができ、その結果、ロック状態である本体カバー１２が無理やり開けられることにより、ロック機構に過度な負荷が掛かること、ひいては、ロック機構３５の故障等を抑制することができる。
【００７６】
〈他の実施形態〉
以上、本発明の実施形態について説明したが、本発明は上記実施形態に限定されるものではなく、本発明の要旨を逸脱しない範囲において様々な態様にて実施することが可能である。
【００７７】
例えば、原稿自動搬送装置５内に原稿１９が存在していることを検知する各検知センサーとして、搬送部検知センサー２９、３０、載置部検知センサー２４、集積部検知センサー３３の全てのセンサーが備えられている必要はない。
【００７８】
つまり、原稿自動搬送装置５を用いた際、原稿読取部４０に原稿１９が読み取られる位置は、搬送部２５内であることから、搬送部２５内に原稿１９が存在している時には、原稿読取部４０が原稿１９から情報を読み取っている可能性が高い。このため、搬送部検知センサー２９、３０が備えられていれば、原稿読取部４０が原稿１９から情報を読み取っている時に、本体カバー１２が開けられないようにすることができる。
【００７９】
なお、搬送部検知センサー２９、３０のみを備える場合、搬送部検知センサー２９、３０が原稿１９の存在しないことを検知してから一定時間経過（例えば、原稿１９が排出ローラ２８によって搬送部２５から完全に排出される時間）後に、本体カバー１２のロック状態を解除するように制御装置１００が制御すれば、原稿１９の読み取り中に本体カバー１２が開けられることを、より確実に防止することができる。
【００８０】
また、複合機は、搬送部検知センサー２９、３０に加えて載置部検知センサー２４を備えたものでよいし、搬送部検知センサー２９、３０に加えて集積部検知センサー３３を備えたものでも良い。
【００８１】
このように構成された複合機によれば、原稿１９の読み取り中に本体カバー１２が開けられることを防止することができるうえに、本体カバー１２が開けられることにより載置部２１や集積部３１に配置された原稿１９が散らばることを防止することができる。
【００８２】
また、原稿読取部４０に読み取られる前の原稿１９が載置部２１に載置されてから、読み取られた後の原稿１９が集積部３１に集積され、その全ての原稿１９が集積部３１から取り除かれるまでの期間には、原稿読取部４０が原稿１９を読み取っている期間も含まれる。このため、本実施形態から搬送部検知センサー２９、３０のみを取り外したものでも良い。即ち、複合機は、載置部検知センサー２４と集積部検知センサー３３との二種類の検知センサーを備えたものでも良い。
【００８３】
また、複合機は、載置部検知センサー２４または集積部検知センサー３３のみを備えるものでも良い。
つまり、載置部２１に載置された原稿１９は、これから原稿読取部４０に原稿１９を読み取られるものであり、集積部３１に一枚の原稿１９が排出された時には、その後、複数枚の原稿１９が読み取られる可能性が高い。したがって、載置部２１または集積部３１に原稿１９が載置されている限り本体カバー１２が開かれないように構成された複合機によれば、原稿１９の読み取りが中断される可能性を低減することができる。
【００８４】
なお、載置部検知センサー２４のみを備える場合、載置部検知センサー２４が原稿１９の存在しないことを検知してから、一定期間（例えば、原稿１９の後端が載置部２１から集積部３１まで搬送される時間）経過後に、本体カバー１２のロック状態を解除するように制御装置１００が制御すれば、原稿１９の読み取り中に本体カバー１２が開けられることを、より確実に防止することができる。
【００８５】
なお、載置部検知センサー２４、搬送部検知センサー２９、３０、集積部検知センサー３３は、本実施形態に示したよう光センサーや振り子型のセンサーでなくとも良い。つまり、それぞれの設置位置に原稿１９が存在しているか否かを検知できるものであればどのようなものでも良い。
【００８６】
具体的には、搬送部２５に原稿１９が存在している時には、原稿１９を搬送するために搬送部２５に設けられた各ローラ２６、２７、２８が駆動される。このため、搬送部検知センサー２９、３０の換わりに、ローラを駆動させるモータの駆動状態を検知することにより、ローラが駆動中であるか否かを認識しても良い。
【００８７】
つまり、ローラが駆動されている時には、搬送部２５に原稿１９が存在しており、ローラが駆動されていない時には、搬送部２５に原稿１９が存在していないことを間接的に判断することができる。
【００８８】
なお、ローラの駆動を検知するためには、モータの駆動状態を検知するだけでなく、センサーによって直接的にローラの回転状態を検知しても良い。
また、本実施形態では、ロック機構３５は、一箇所にのみ形成したが、一つの複合機に複数箇所のロック機構３５を形成しても良い。
【００８９】
なお、本実施形態では、ロック機構としてソレノイド３８を用いたが、機械的な機構を用いてＬ字型フック３６を係止させることにより、本体カバー１２を閉じた状態に保つものでも良い。
【００９０】
また、図９に示すような二箇所以上の開閉（図９に示す複合機１では、Ａ、Ｂの二箇所）が可能な本体カバー１２を有した複合機１では、その開閉可能な箇所のそれぞれにロック機構を形成しても良い。そのように構成された複合機１によれば、図９に示すような複合機１であっても原稿１９の読み取り中に本体カバー１２が開かれることがないため、読み取りが中断されることがない。
【００９１】
また、本実施形態では、本体カバー１２がロック状態であることを表示部１５に表示することで複合機１の使用者に報知したが、制御装置１００にスピーカー等を接続し、音声等の警告音によって、複合機１の使用者に本体カバー１２がロック状態であることを報知するものでも良い。
【図面の簡単な説明】
【００９２】
【図１】複合機の外観構成を示す斜視図である。
【図２】本体カバーを開いた状態における複合機の斜視図である。
【図３】複合機の上面図である。
【図４】原稿自動搬送装置及び原稿読取部の概略構成を示す断面図である。
【図５】ロック機構の概略構成を示す説明図である。
【図６】複合機の電気的構成を示すブロック図である。
【図７】本体カバーをロックするロック処理のフローチャートである。
【図８】各検知手段が原稿の存在を検知し始めたときと保持手段が本体カバーを閉じた状態に保持する時間を示した説明図である。
【図９】本体カバーの開閉箇所が複数存在するような複合機を示す説明図である。
【符号の説明】
【００９３】
１…複合機  ３…原稿自動搬送読取位置  ５…原稿自動搬送装置  １０…本体  １１…本体ケース  １１ａ…読取面  １２…本体カバー  １４…操作部  １５…表示部  １６…装着部  １７…用紙トレー  １８…用紙  １９…原稿  ２１…載置部  ２２…載置台  ２３…案内ガイド  ２４…載置部検知センサー  ２４ａ、３３ａ…発光部  ２４ｂ、３３ｂ…受光部  ２５…搬送部  ２６…分離ローラ  ２７…搬送ローラ  ２８…排出ローラ  ２９、３０…搬送部検知センサー  ３１…集積部  ３２…集積台  ３３…集積部検知センサー  ３５・・・ロック機構  ３６…Ｌ字型フック  ３７…開口  ３８…ソレノイド  ３８ａ…鉄心  ４０…原稿読取部  ４１…イメージセンサー  ４２…光学素子群  ４３…光源  ５０…検知部  １００…制御装置
【図１】
2007180788.tif 000003
【図２】
2007180788.tif 000004
【図３】
2007180788.tif 000005
【図４】
2007180788.tif 000006
【図５】
2007180788.tif 000007
【図６】
2007180788.tif 000008
【図７】
2007180788.tif 000009
【図８】
2007180788.tif 000010
【図９】
2007180788.tif 000011